(57)【要約】【課題】刈り高さや左右サイドのカット等を変更するたびにバリカン本体から外して取り付け方向を変換する必要がなく、しかも意図する櫛歯部の機能を目視確認無しで切り替えることができ、使用性を向上させる。【解決手段】バリカン本体１に保持される基体部分８ａの長さ方向の両端に２種類以上の櫛歯部８ｂをそれぞれ設けて櫛部材８を構成し、該櫛部材８をバリカン本体１から着脱することなく、いずれか１種類の櫛歯部８ｂを適宜選択してバリカン刃部３を覆う位置にセットし得るように構成したバリカンの櫛アタッチメントである。【選択図】図１
2010227268.tif 000002
【特許請求の範囲】
【請求項１】
バリカン本体に保持される基体部分の長さ方向の両端に２種類以上の櫛歯部をそれぞれ設けて櫛部材を構成し、該櫛部材をバリカン本体から着脱することなく、いずれか１種類の櫛歯部を適宜選択してバリカン刃部を覆う位置にセットし得るように構成したことを特徴とするバリカンの櫛アタッチメント。
【請求項２】
上記櫛部材の基体部分の長さ方向の中央部をバリカン本体側に回転可能に保持すると共に、上記基体部分の長さ方向の両端に設けた各櫛歯部の回転軌跡上にバリカン刃部が位置するように構成したことを特徴とする請求項１記載のバリカンの櫛アタッチメント。
【請求項３】
上記櫛部材の両端に設けられる櫛歯部はそれぞれ、一側端から他側端に向けて刃先方向に向かう突出長が漸次大きくなるテーパー形状に形成されていることを特徴とする請求項２記載のバリカンの櫛アタッチメント。
【請求項４】
上記櫛部材をバリカン本体に保持した状態でバリカン刃部を覆う初期位置からバリカン刃部から離れる方向に引き出し可能とし且つ所定の引き出し位置で回転可能となるように構成したことを特徴とする請求項２記載のバリカンの櫛アタッチメント
【請求項５】
上記櫛部材は、上記引き出し位置以外の初期位置では回転不能となることを特徴とする請求項４記載のバリカンの櫛アタッチメント。
【請求項６】
上記櫛部材は、引き出し位置から初期位置に向かってバネ力を付与する復帰バネを備えている請求項４又は５記載のバリカンの櫛アタッチメント。
【請求項７】
上記櫛部材を初期位置から引き出し位置に引き出したとき、及び引き出し位置から初期位置に戻したときに、クリック感を与えるクリックリブを備えていることを特徴とする請求項４乃至６のいずれか１項に記載のバリカンの櫛アタッチメント。
【請求項８】
上記櫛部材の基体部分をバリカン本体に保持される本体保持部に対して回転自在に取り付けると共に、該本体保持部に櫛部材の回転軌跡よりも大きい円形状の回転溝を凹設したことを特徴とする請求項２記載のバリカンの櫛アタッチメント。
【請求項９】
上記本体保持部に面する基体部分に毛屑を排出する毛屑逃がし穴を設けたことを特徴とする請求項８項に記載のバリカンの櫛アタッチメント。
【発明の詳細な説明】
【技術分野】
【０００１】
本発明は、バリカンに装着される櫛アタッチメントに関するものである。
【背景技術】
【０００２】
従来から、複数の櫛状刃を互いに重ねて摺接してなるバリカン刃部と、モータ等の駆動力と、駆動力の回転力を利用して往復運動に変換して、当該複数の櫛状刃のうち、少なくとも何れかの刃（可動刃）を往復動させる駆動手段とを備えたバリカンにおいて、バリカン刃部を覆った状態で一部の毛をバリカン刃部に導入する櫛歯部を有する櫛アタッチメントが知られている。この種の櫛アタッチメントとして刈り高さを一定にする丸刈りアタッチメントや、左右の耳周りのサイドを刈り上げるテーパアタッチメント等が知られている（例えば、特許文献１参照）。
【０００３】
ところで従来の櫛アタッチメントは、その両端に異なる形状の櫛歯部を備えたものであり、例えば丸刈りアタッチメントでは、櫛の高さが取り付け方向により異なり、２種類の仕上がり長さに仕上げることが可能であるが、刈り高さを変更するたびに一度バリカン本体から外して取り付け方向を変換する必要があり、手間がかかるという課題があった。また、テーパーアタッチメントの場合も左右のサイドのカットの際に取り付け方向を反対にしないと失敗する恐れがあるという課題があった。そのうえバリカン本体から櫛アタッチメントを外すと、もう一度取り付けるために目視確認が必要であり、非常に不便であった。
【先行技術文献】
【特許文献】
【０００４】
【特許文献１】特開平９−８４６２６号公報
【発明の概要】
【発明が解決しようとする課題】
【０００５】
本発明は上記の従来の問題点に鑑みて発明したものであって、その目的とするところは、刈り高さや左右サイドのカット等を変更するたびにバリカン本体から外して取り付け方向を変換する必要がなく、しかも意図する櫛歯部の機能を目視確認無しで切り替えることができ、使用性に優れたバリカンの櫛アタッチメントを提供することにある。
【課題を解決するための手段】
【０００６】
前記の課題を解決するために、本発明は、バリカン本体１に保持される基体部分８ａの長さ方向の両端に２種類以上の櫛歯部８ｂをそれぞれ設けて櫛部材８を構成し、該櫛部材８をバリカン本体１から着脱することなく、いずれか１種類の櫛歯部８ｂを適宜選択してバリカン刃部３を覆う位置にセットし得るように構成したことを特徴としている。
【０００７】
このような構成とすることで、バリカン本体１から櫛アタッチメントを着脱することなく、２種の櫛歯部８ｂを切り替えて使用できる非着脱切り替え方式となり、従来のように刈り高さや左右サイドのカットを変更するたびにバリカン本体１から外して取り付け方向を変換する必要がなくなる。しかも回転操作だけでよいので、意図する櫛歯部８ｂの機能を目視確認無しで切り替えることができ、使い勝手がきわめて良くなる。
【０００８】
また、上記櫛部材８の基体部分８ａの長さ方向の中央部をバリカン本体１側に回転可能に保持すると共に、上記基体部分８ａの長さ方向の両端に設けた各櫛歯部８ｂの回転軌跡上にバリカン刃部３が位置するように構成するのが好ましく、この場合、櫛部材８をバリカン本体１から着脱せずに回転により各櫛歯部８ｂの機能を切り替える非着脱回転方式とすることが可能となる。
【０００９】
また、上記櫛部材８の両端に設けられる櫛歯部８ｂはそれぞれ、一側端から他側端に向けて刃先方向に向かう突出長ｄが漸次大きくなるテーパー形状に形成されているのが好ましく、この場合、例えば、頭の左右両サイドをカットする時に櫛部材８を回転させることで、左右の仕上がり角度θ１、θ２を同一にすることがきわめて容易となり、右手、左手の使い勝手の差を解消できる。
【００１０】
また、上記櫛部材８をバリカン本体１に保持した状態でバリカン刃部３を覆う初期位置Ｐ１からバリカン刃部３から離れる方向に引き出し可能とし且つ所定の引き出し位置Ｐ２で回転可能となるように構成するのが好ましく、この場合、櫛部材８を引き出して回転させる一連の操作が容易となり、しかも櫛部材８を意図的に引き出した場合に限り、櫛部材８を回転可能な状態に切り替えることが可能となる。しかも引き出す方向は、バリカン本体１使用時に櫛部材８に対して荷重の加わる方向と反対方向であり、これにより使用時の櫛部材８の不用意な回転を防止できる。
【００１１】
また、上記櫛部材８は、上記引き出し位置Ｐ２以外の初期位置Ｐ１では回転不能となるのが好ましく、この場合、初期位置Ｐ１では櫛部材８の不用意な回転を防止でき、安全性が高まると共に、使用時にバリカン刃部３に対する櫛部材８の不用意な接触を防止でき、刃部３の保護も図れる。
【００１２】
また上記櫛部材８は、引き出し位置Ｐ２から初期位置Ｐ１に向かってバネ力を付与する復帰バネ１０を備えているのが好ましく、この場合、回転可能状態にある引き出し位置Ｐ２から初期位置Ｐ１への復帰動作を、櫛部材８に対して荷重を加えることなく、復帰バネ１０を利用して自然に行うことができ、使い勝手がさらに良くなる。
【００１３】
また、上記櫛部材８を初期位置Ｐ１から引き出し位置Ｐ２に引き出したとき、及び引き出し位置Ｐ２から初期位置Ｐ１に戻したときに、クリック感を与えるクリックリブ１５を備えているのが好ましく、この場合、櫛部材８の正規の初期位置Ｐ１及び引き出し位置Ｐ２でそれぞれクリック感をもたせることができ、目視確認不要で容易に認識できるようになる。
【００１４】
また、上記櫛部材８の基体部分８ａをバリカン本体１に保持される本体保持部９に対して回転自在に取り付けると共に、該本体保持部９に櫛部材８の回転軌跡よりも大きい円形状の回転溝１６を凹設するのが好ましく、この場合、櫛部材８が回転するときには回転溝１６によって本体保持部９が回転の妨げとならず、櫛部材８の引き出し量を低減でき、回転操作を一層容易にできる。
【００１５】
また、上記本体保持部９に面する基体部分８ａに毛屑を排出する毛屑逃がし穴１７を設けるのが好ましく、この場合、櫛部材８の基体部分８ａと本体保持部９との隙間に毛屑詰まりが生じるのを防止でき、毛屑によって櫛部材８が初期位置Ｐ１に戻りにくくなる事態を回避できる。
【発明の効果】
【００１６】
本発明は、バリカン本体から櫛アタッチメントを着脱することなく、２種の櫛歯部を切り替えて使用できる非着脱切り替え方式とすることにより、刈り高さや左右サイドのカット等を変更するたびにバリカン本体から外して取り付け方向を変換する必要がなくなり、そのうえ回転操作だけでよいので、意図する櫛歯部の機能を目視確認無しで切り替えることができ、使用性が向上する。
【図面の簡単な説明】
【００１７】
【図１】本発明の一実施形態を示し、（ａ）はバリカンの斜視図、（ｂ）はバリカンに櫛アタッチメントを装着した状態の斜視図である。
【図２】（ａ）は同上の櫛アタッチメントの底面図、（ｂ）は側面図、（ｃ）は平面図、（ｄ）は正面図である。
【図３】同上の櫛アタッチメントを構成する櫛部材と本体保持部の分解斜視図である。
【図４】同上の櫛部材の引き出し機構を説明する一部破断した斜視図である。
【図５】同上の櫛部材を引き出した状態を示す一部破断した斜視図である。
【図６】（ａ）は同上の櫛部材の回転機構を説明する一部破断した斜視図、（ｂ）は（ａ）の要部拡大図である。
【図７】（ａ）は同上の櫛部材を引き出して回転可能な状態にした場合を説明する一部破断した斜視図、（ｂ）は（ａ）の要部拡大図である。
【図８】（ａ）〜（ｆ）は同上の櫛部材の初期位置→引き出し位置→回転完了状態までの動作説明図である。
【図９】（ａ）（ｂ）は同上の櫛部材を回転させて左右の仕上がり角度を同一にする場合の説明図である。
【発明を実施するための形態】
【００１８】
以下、本発明を添付図面に示す実施形態に基いて説明する。
【００１９】
本実施形態のバリカンは、図１に示すように、モータ等の駆動源を内蔵したバリカン本体１と、バリカン本体１の動作を入り切りするスイッチハンドル２と、モータ等の駆動力を伝達し、往復運動をするバリカン刃部３により構成される。このバリカン刃部３は可動刃４と固定刃５で構成され、可動刃４が往復運動し、固定刃５との挟み込みにより毛髪及び体毛を切断する。
【００２０】
バリカン本体１に取り付けられる櫛アタッチメント７として、本実施形態では、図２に示すように、左右の仕上がり角度が同一にできるテーパーアタッチメント（以下、テーパーアタッチメント７と称する）を例示する。
【００２１】
このテーパーアタッチメント７は、図３に示すように、バリカン本体１に保持される本体保持部９と、本体保持部９に対して回転可能に取り付けられる櫛部材８とが別体で構成されている。
【００２２】
本体保持部９は、底板部９ａの両端から一対の係止部９ｂをそれぞれ対向して立ち上げた略コ字状に形成され、各係止部９ｂの内面から一対の本体取付ボス１３,１３（図２（ｃ））がそれぞれ突設されている。
【００２３】
上記一対の本体取付ボス１３を、バリカン本体１の左右両端面に凹設した左右一対の本体穴部６（図１（ａ））にそれぞれ嵌合させた状態で、櫛部材８の上面部から突設する複数の突起部１８（図３）がバリカン本体１の背面の複数箇所に当接することで、バリカン本体１に対する本体保持部９の位置関係が不変となる。つまり、本体取付ボス１３と本体穴部６との凹凸嵌合と、突起部１８とバリカン本体１背面との当接とによって、本体保持部９をバリカン本体１に対して動かないように保持できると共に、本体取付ボス１３と本体穴部６の凹凸嵌合を外せば本体保持部９の取り外しが可能となる。
【００２４】
櫛部材８は、図２に示すように、上記本体保持部９に対して回転自在に取り付けられる基体部分８ａと、基体部分８ａの長さ方向の両端に設けられた２種類の櫛歯部８ｂ,８ｂとが一体に構成されている。両櫛歯部８ｂ,８ｂはそれぞれ図２（ａ）に示すように、一側端８ｂ１から他側端８ｂ２に向けて刃先方向（図２（ａ）の左右方向）に向かう突出長ｄ→ｄ１が漸次大きくなるテーパー形状に形成されている。ここではテーパー角度θは同一角度（例えば１０度）に設定されている。勿論これに限らず、テーパー角度θを例えば５度と１０度に異ならせてもよい。さらに、両櫛歯部８ｂ,８ｂの高さｈが、それぞれ図２（ｂ）に示すように、基端側から先端側に向けて漸次低くなるように、各８ｂ,８ｂの下面８ｂ３がそれぞれテーパー形状に形成されている。
【００２５】
次に、櫛部材８の引き出し機構と回転機構を順次説明する。
【００２６】
引き出し機構を図４、図５に示す。櫛部材８の基体部分８ａの中心部に設けた貫通孔１９内に、下方からバネ保持部材１１の先端部分がスライド自在に貫通しており、櫛部材８の本体保持部９の中央にはネジ孔９ｃが設けられ、本体保持部９の上方からネジ孔９ｃに挿入係止されるネジ１２がバネ保持部材１１の先端部の内ネジに螺合することにより、本体保持部９に対してバネ保持部材１１が固着されている。さらにバネ保持部材１１の外周に設けた復帰バネ１０の上端が基体部分８ａの下面に弾接していると共に、復帰バネ１０の下端がバネ保持部材１１の下端に設けたバネ受け部２０にて支持されており、これにより、櫛部材８の基体部分８ａは復帰バネ１０のバネ力によって常に本体保持部９に密着しており、櫛部材８をバリカン本体１から遠ざける方向（図５の下方）に手で引っ張ることで、復帰バネ１０が収縮して櫛部材８を初期位置Ｐ１（図４）から固定解除状態となる引き出し位置Ｐ２（図５）に引き出すことができる構造となっている。
【００２７】
次に、回転機構を説明する。
【００２８】
上記本体保持部９のネジ孔９ｃの両サイドには、図４に示すように、左右一対のボス孔９ｄが開口しており、櫛部材８の基体部分８ａのボス孔９ｄに対向する部位から櫛保持ボス１４がそれぞれ突設されており、櫛部材８が初期位置Ｐ１にあるときは櫛保持ボス１４がボス孔９ｄに嵌合することで櫛部材８が回転不能となり、櫛部材８が図５の引き出し位置Ｐ２まで引き出されたときは櫛保持ボス１４とボス孔９ｄとの嵌合が外れて固定解除状態となり、櫛部材８はネジ１２を中心として３６０度回転可能な状態となる。
【００２９】
また櫛部材８の基体部分８ａの上面には、本体保持部９との接触を回避するための回転溝１６が設けてある。本例では、櫛部材８の回転時に本体保持部９との干渉を防止できるように、図２（ｃ）に示すように、回転溝１６の半径Ｂを本体保持部９の最大半径Ａよりも若干大きく設定している。回転溝１６によって櫛部材８の引き出し寸法を小さく抑える構造となり且つ回転溝１６周囲の櫛歯部８ｂの上方への突出高さをそれぞれ高くすることで、強度アップが図られる構造となる。
【００３０】
さらに上記回転溝１６の中央側の底面には、本体保持部９の底板部９ａが出し入れ可能に挿入される凹部３０が形成されている。ここでは、図６に示すように、底板部９ａを凹部３０に挿入した状態では底板部９ａの上面と基体部分８ａの上面とが面一となるように凹部３０の深さが決められている。さらにこの凹部３０の両側面は、図７に示すように、断面逆ハ字状に傾斜した傾斜面３０ａとなっており、一方、底板部９ａの下部両側面も凹部３０の傾斜面３０ａと同じ角度で傾斜した傾斜面９ｆとなっており、櫛部材８を引き出して回転させる際に傾斜面３０ａ,９ｆによって櫛部材８が浮き上がり、引き出しから回転操作への移行がスムーズにできる構造となり、さらに回転後の櫛部材８を初期位置Ｐ１に戻すときには本体保持部９に対する櫛部材８の位置決めが傾斜面３０ａ,９ｆを利用してスムーズにできる構造となっている。
【００３１】
ここで、上記構成の櫛部材８の一方の櫛歯部８ｂの使用状態から他方の櫛歯部８ｂの使用状態に切り替えるには、先ず、図４の初期位置Ｐ１にある櫛部材８を手で下方に引っ張って図５の固定が解除された引き出し位置Ｐ２まで引き出す（図８（ａ）→（ｂ））。この状態でネジ１２を中心に櫛部材８を１８０度回転させると、図８（ｃ）→（ｄ）→（ｅ）のように、他方の櫛歯部８ｂを刃部３を覆う位置に移動させることができ、この段階で櫛部材８は復帰バネ１０のバネ力で自然に初期位置Ｐ１に戻り、切り替えが完了する。これにより、例えば図９に示す左右の両サイドをカットする時には櫛部材８を回転させて両端の櫛歯部８ｂを使い分けることにより、左右の仕上がり角度θ１、θ２を同一にすることができ、右手、左手の使い勝手の差を解消できるようになる。
【００３２】
しかして、櫛部材８の基体部分８ａの長さ方向の中央部をバリカン本体１側に回転可能に保持すると共に、上記基体部分８ａの長さ方向の両端に設けた各櫛歯部８ｂの回転軌跡上にバリカン刃部３が位置するように構成したことにより、バリカン本体１からテーパーアタッチメント７を着脱することなく、２種の櫛歯部８ｂを切り替えて使用できる非着脱回転切り替え方式となる。従って、従来のようにアタッチメントをバリカン本体１からいちいち外して取り付け方向を変換する必要がなくなる。つまり、テーパーアタッチメント７を回転させるだけでよく、そのうえ意図する櫛歯部８ｂを目視確認無しで切り替えることができるので、使い勝手がきわめて良くなる。
【００３３】
また、上記櫛部材８をバリカン本体１に保持した状態でバリカン刃部３を覆う初期位置Ｐ１からバリカン刃部３から離れる方向に引き出し可能とし且つ所定の引き出し位置Ｐ２で回転可能となるように構成しているので、櫛部材８を引き出して回転させる一連の操作が容易となり、しかも櫛部材８を意図的に引き出した場合に限り、櫛部材８を回転可能な状態に切り替えることが可能となる。しかも引き出す方向は、バリカン本体１使用時に櫛部材８に対して荷重の加わる方向と反対方向であり、これにより使用時の櫛部材８の不用意な回転を防止できる。つまり初期位置Ｐ１から引き出し位置Ｐ２まで櫛部材８を意図的に引き出さない限り、櫛部材８を回転可能な状態に切り替えることができなくなり、使用の安全性を確保できると共に、使用時にバリカン刃部３に対する櫛部材８の不用意な接触を防止でき、刃部３の保護も図れる。
【００３４】
さらに、櫛部材８には図６（ｂ）、図７（ｂ）に示すように、バネ保持部材１１を収納する収納部３３が設けられ、収納部３３の両内壁面にはそれぞれ一対のクリックリブ１５が突設されている。櫛部材８を初期位置Ｐ１から引き出し位置Ｐ２まで引き出したときにバネ保持部材１１の外周端部２１がクリックリブ１５を乗り越える際に操作感触が変化し、目視認識によらずに引き出し位置Ｐ２を容易に認識できる。その後、櫛部材８が戻る際も同様に操作感触が変化するので目視確認不要で容易に認識できるようになる。
【００３５】
また櫛部材８の基体部分８ａには、図７に示す毛屑逃がし穴１７が設けてある。これにより櫛部材８の基体部分８ａと本体保持部９との隙間に毛屑詰まりが生じるのを防止でき、毛屑によって櫛部材８が初期位置Ｐ１に戻りにくくなる事態を回避できる利点がある。
【００３６】
前記実施形態ではテーパーアタッチメント７を例示したが、一定の刈り高さに仕上げる丸刈りアタッチメントにおいても同様に適用可能である。丸刈りアタッチメントの例として一方の櫛歯部８ｂの刈り高さを例えば３ｍｍ、他方の櫛歯部８ｂの刈り高さの例えば６ｍｍとしたものが挙げられる。
【００３７】
また、櫛歯部８ｂの機能として、刈り高さ機能、左右のサイドと襟足の刈り上げ機能を備える以外に、スキ刈り機能、ボリューム落とし機能、或いは、髪の揃えたいラインに揃えてカットするライン揃え機能など、各種機能を備えた櫛アタッチメントに広く適用可能である。
【００３８】
また、着脱せずに切り替える非着脱方式で、回転方式以外に、櫛の高さそのものを変化させる方式も含む。
【符号の説明】
【００３９】
１  バリカン本体
３  バリカン刃部
７  櫛アタッチメント
８  櫛部材
８ａ  基体部分
８ｂ  櫛歯部
９  本体保持部
１０  復帰バネ
１１  バネ保持部材
１２  ネジ
１５  クリックリブ
１７  毛屑逃がし穴
Ｐ１  初期位置
Ｐ２  引き出し位置
【図１】
2010227268.tif 000003
【図２】
2010227268.tif 000004
【図３】
2010227268.tif 000005
【図４】
2010227268.tif 000006
【図５】
2010227268.tif 000007
【図６】
2010227268.tif 000008
【図７】
2010227268.tif 000009
【図８】
2010227268.tif 000010
【図９】
2010227268.tif 000011